(57)【要約】【課題】アーチ効果を発揮させることで極力、地盤の変形を抑えることが可能なうえに、線形に曲線部を含むトンネルであっても容易に構築することが可能なトンネルの構築方法を提供する。【解決手段】少なくとも上方が断面視アーチ状に形成されるトンネル１を構築する方法である。  そして、トンネルの上方アーチ部１１の外周の地盤２０に、トンネルの延伸方向に向けた鋼管３，・・・を周方向に間隔を置いて複数本、押し込む工程と、鋼管間を含むトンネルの外周を囲繞するように断面視環状に地盤改良部２を形成する工程と、地盤改良部２の内周側を掘削してトンネルを構築する工程とを備えている。【選択図】図１
2010090607.tif 000002
【特許請求の範囲】
【請求項１】
少なくとも上方が断面視アーチ状に形成されるトンネルを構築する方法であって、
前記トンネルの上方アーチ部の外周の地盤に、前記トンネルの延伸方向に向けた長尺材を周方向に間隔を置いて複数本、押し込む工程と、
前記長尺材間を含む前記トンネルの外周を囲繞するように断面視環状に地盤改良する工程と、
前記地盤改良された内周側を掘削してトンネルを構築する工程とを備えたことを特徴とするトンネルの構築方法。
【請求項２】
前記地盤改良された内周側を掘削した際に、前記長尺材と略直交する向きに交差させたタイドアーチ形状の支保材を設置し、その支保材と前記長尺材とをそれぞれピン接合することを特徴とする請求項１に記載のトンネルの構築方法。
【請求項３】
前記支保材の内周面側にプレキャストパネルを取り付け、そのプレキャストパネルを型枠にして外周側にコンクリートを充填することを特徴とする請求項２に記載のトンネルの構築方法。
【請求項４】
前記長尺材として周面に孔が穿孔された長尺管を使用することを特徴とする請求項１乃至３のいずれか一項に記載のトンネルの構築方法。
【請求項５】
少なくとも上方が断面視アーチ状に形成されるトンネルの構造であって、
前記トンネルの上方アーチ部の外周の地盤に、前記トンネルの延伸方向に向けて周方向に間隔を置いて配置される複数本の長尺材と、
前記長尺材間を含む前記トンネルの外周を囲繞するように断面視環状に形成される地盤改良部と、を備えたことを特徴とするトンネルの構造。
【請求項６】
前記長尺材と略直交する向きに交差させたタイドアーチ形状の支保材を備え、その支保材と前記長尺材とがそれぞれピン接合されていることを特徴とする請求項５に記載のトンネルの構造。
【請求項７】
前記支保材の内周面側に取り付けられるプレキャストパネルと、そのプレキャストパネルの外周側に打設されるコンクリートとを備えたことを特徴とする請求項６に記載のトンネルの構造。
【発明の詳細な説明】
【技術分野】
【０００１】
本発明は、都市部や地盤の弱い場所に、地下鉄や道路などに使用するトンネルを構築するトンネルの構築方法、及びトンネルの構造に関するものである。
【背景技術】
【０００２】
従来、地盤を掘削して地中に空洞を形成するに際して、地表面の沈下などを抑えるために、複数の鋼管を先行して地中に向けて押し込んで断面視コ字形のパイプルーフを構築し、そのパイプルーフで保護された内側の地盤を、剛性の高い連続地中壁や支持杭などの支保工によって支持しながら掘削する方法が知られている（特許文献１など参照）。
【０００３】
また、特許文献２には、線形に曲線部が含まれるトンネルを構築するために開発された曲線パイプルーフ工法が開示されている。
【０００４】
さらに、特許文献３，４には、地盤の弱い場所にトンネルを掘削する際に、前方掘削面の崩落を防ぐために、長尺の先受け鋼材を掘進方向に向けて放射状に打設して対処する方法が開示されている。
【特許文献１】特許第３５１１１４５号公報
【特許文献２】特開２０００−２４０３９１号公報
【特許文献３】特開２００４−１９３５９号公報
【特許文献４】特開平１０−２３１７００号公報
【発明の開示】
【発明が解決しようとする課題】
【０００５】
しかしながら、平屋根状のパイプルーフを構築した場合、そのパイプルーフに作用する荷重をすべて支保工で支持させなければならないので、支保工が大掛りになって内部掘削の支障になったり、工事費が高くなったりする原因になっていた。また、隣接するパイプルーフ同士を継手などで連結させる場合、連結部の拘束力が強く、曲線部を設けることが難しい。
【０００６】
他方、先受け鋼材は、横断方向に間隔を置いて配置されているので、先受け鋼材間では横断方向に断面力が伝達できず、アーチ効果を発揮させることができない。また、特許文献４に開示されているようにアーチ状の支保工で先受け鋼材間を連結する場合であっても、掘削から支保工を設置するまでの間に地盤の緩みが進行して変形を抑えることができない。
【０００７】
そこで、本発明は、アーチ効果を発揮させることで極力、地盤の変形を抑えることが可能なうえに、線形に曲線部を含むトンネルであっても容易に構築することが可能なトンネルの構築方法、及びトンネルの構造を提供することを目的としている。
【課題を解決するための手段】
【０００８】
前記目的を達成するために、本発明のトンネルの構築方法は、少なくとも上方が断面視アーチ状に形成されるトンネルを構築する方法であって、前記トンネルの上方アーチ部の外周の地盤に、前記トンネルの延伸方向に向けた長尺材を周方向に間隔を置いて複数本、押し込む工程と、前記長尺材間を含む前記トンネルの外周を囲繞するように断面視環状に地盤改良する工程と、前記地盤改良された内周側を掘削してトンネルを構築する工程とを備えたことを特徴とする。
【０００９】
ここで、前記地盤改良された内周側を掘削した際に、前記長尺材と略直交する向きに交差させたタイドアーチ形状の支保材を設置し、その支保材と前記長尺材とをそれぞれピン接合することができる。
【００１０】
また、前記支保材の内周面側にプレキャストパネルを取り付け、そのプレキャストパネルを型枠にして外周側にコンクリートを充填することもできる。この際、前記長尺材として周面に孔が穿孔された長尺管を使用することが好ましい。
【００１１】
また、本発明のトンネルの構造は、少なくとも上方が断面視アーチ状に形成されるトンネルの構造であって、前記トンネルの上方アーチ部の外周の地盤に、前記トンネルの延伸方向に向けて周方向に間隔を置いて配置される複数本の長尺材と、前記長尺材間を含む前記トンネルの外周を囲繞するように断面視環状に形成される地盤改良部と、を備えたことを特徴とする。
【００１２】
ここで、前記長尺材と略直交する向きに交差させたタイドアーチ形状の支保材を備え、その支保材と前記長尺材とがそれぞれピン接合されている構造であってもよい。
【００１３】
また、前記支保材の内周面側に取り付けられるプレキャストパネルと、そのプレキャストパネルの外周側に打設されるコンクリートとを備えた構造とすることもできる。
【発明の効果】
【００１４】
このように構成された本発明のトンネルの構築方法では、トンネルの上方アーチ部の外周の地盤に、周方向に間隔を置いて複数本の長尺材を押し込むとともに、トンネルの外周を囲繞するように地盤改良をおこない、その後に、地盤改良された内周側を掘削してトンネルを構築する。
【００１５】
このため、掘削前から閉成された地盤改良部が形成されており、掘削当初からアーチ効果を発揮させることができるので、掘削による地盤の緩みを最小限にして変形を極力、抑えることができる。
【００１６】
また、上方アーチ部の外周に長尺材を押し込んでおくことで、上方地盤を先受けさせて構造物で支えることができる。
【００１７】
さらに、これらの長尺材は、周方向に間隔を置いて押し込まれるので、長尺材間が拘束されず、線形に曲線部を含むトンネルであっても、容易に構築することができる。
【００１８】
また、掘削後に長尺材間をタイドアーチ形状の支保材で連結することで、安定的に支保された掘削空間を短期間に形成することができる。さらに、ピン接合であれば、ボルトによる接合であってもよいので、迅速に接合作業をおこなうことができる。
【００１９】
また、長尺材及び支保材を利用したトンネルの覆工を構築するのであれば、支保材を仮設のみに使用する場合に比べてコストを削減することができる。
【００２０】
さらに、支保材の内周面側にプレキャストパネルを取り付け、それを型枠にしてコンクリートを充填する方法であれば、脱型の手間もなく、迅速かつ容易にトンネルの覆工を構築することができる。
【００２１】
また、周面に孔が穿孔された長尺管を長尺材として使用すれば、その周囲に打設されたコンクリートのエア抜きをその孔でおこなうことができ、空洞のない、高品質の覆工コンクリートを構築することができる。
【００２２】
さらに、本発明のトンネルの構造は、環状の地盤改良部と、周方向に間隔を置いた複数本の長尺材とを備えている。
【００２３】
このため、トンネルの外周がアーチ効果によって保護され、地盤の変形を極力抑えることができる。また、長尺材は間隔を置いて配置されるので、トンネルの平面視の線形が曲線になる場合であっても、容易に対応させることができる。
【００２４】
また、タイドアーチ形状の支保材に長尺材がピン接合されていれば、接合部に曲げ応力が発生しないので、長尺材及び支保材の断面を低減させて材料費を削減することができる。
【００２５】
さらに、プレキャストパネルを利用することで、品質の高い覆工を形成することができる。
【発明を実施するための最良の形態】
【００２６】
以下、本発明の最良の実施の形態について図面を参照して説明する。
【００２７】
図１は、本実施の形態のトンネル１の構造を示す断面図である。
【００２８】
このトンネル１は、トンネル１の上方アーチ部１１の外周の地盤２０に、周方向に間隔を置いて配置される複数本の長尺材としての鋼管３，・・・と、鋼管３，３間を含むトンネル１の外周を囲繞するように断面視環状に形成される地盤改良部２と、鋼管３と略直交する向きに交差させたタイドアーチ形状の支保材としてのリング支保材４と、リング支保材４の内周面側に取り付けられるプレキャストパネル５と、そのプレキャストパネル５の外周側に打設されるコンクリートとしての覆工コンクリート６とによって主に構成される。
【００２９】
また、トンネル１の内空は、断面視略半円形となる上方アーチ部１１と、その上方アーチ部１１の脚部間を水平に結ぶ下床コンクリート６１とによって、断面視馬蹄形に形成される。
【００３０】
また、鋼管３は、推進工法などによって地盤２０に水平方向に向けて押し込まれる管材である。鋼管３の直径及び肉厚は、トンネル１の直径、地盤２０の強度、作用荷重の大きさなどに基づいて決定すればよい。
【００３１】
さらに、この鋼管３は、トンネル１の上方アーチ部１１に沿って、周方向に略等間隔に配置される。なお、この実施の形態では、上方アーチ部１１の頂部から脚部にかけて鋼管３，・・・を配置したが、地盤２０の地質や、許容沈下量によっては、上方アーチ部１１の頂部付近にのみ鋼管３，・・・を配置する構成であってもよい。
【００３２】
また、地盤改良部２は、アーチ効果が発揮されやすいように、トンネル１の内空形状に関わらず、断面視略円形のリング状になるように形成するのが好ましい。この実施の形態においても、図１に示すように、トンネル１の基礎部４３とその下方の地盤改良部２との間には、未改良の地盤２０が存在している。
【００３３】
この地盤改良部２は、地盤２０にセメント系固化材を充填し撹拌することによって形成することができる。また、地盤２０に薬液などを注入することよって地盤改良部２を形成することもできる。
【００３４】
一方、リング支保材４は、上方アーチ部１１に沿って配置されるアーチ部４１と、そのアーチ部４１の脚部間を水平に連結するタイド部４２とによって主に構成される。このアーチ部４１は、脚部間がタイド部４２によって連結されることによって、上載荷重が作用しても脚部間が開くことなく荷重を支持することができる。
【００３５】
このようなアーチ部４１及びタイド部４２は、図９に示すような断面視Ｈ形のＨ形鋼材によって製作することができる。また、タイド部４２は、掘削底面上にモルタルや捨石などによって形成される基礎部４３上に設置される。
【００３６】
また、このアーチ部４１と、それに直交する向きで配置される鋼管３とは、ピン接合としてのピン接合部７によって連結される。このピン接合部７は、図７に示すように、鋼管３とアーチ部４１の間に介在させるスペーサ部７２と、鋼管３とスペーサ部７２とアーチ部４１とを繋ぐボルト部７１とを備えている。
【００３７】
すなわち、このアーチ部４１は、上下に平行に配置されるフランジ４１１，４１１と、そのフランジ４１１，４１１間を繋ぐウェブ４１２とによって構成されており、図８に示すようにアーチ部４１の外側のフランジ４１１に鋼管３を接合する。
【００３８】
また、スペーサ部７２は、鋼管３の内周側に配置される内周スペーサ７２１と、鋼管３の外周側に配置される外周スペーサ７２２と、鋼管３とアーチ部４１との離隔によって厚さが調整される間隔調整スペーサ７２３，７２３とによって構成される。この内周スペーサ７２１及び外周スペーサ７２２は、鋼管３の曲率に合わせて鋼管３と接する側が円弧状に成形される。
【００３９】
また、ボルト部７１は、鋼管３、スペーサ部７２及びフランジ４１１を貫通して他方に突出する長さを備えたボルト７１１と、そのボルト７１１に装着されるナット７１２及び座金７１３とによって構成される。
【００４０】
そして、ピン接合部７を設ける箇所の鋼管３とフランジ４１１には、ボルト孔３１，４１３がそれぞれ穿孔されている。また、スペーサ部７２の対応する位置にもボルト孔が設けられている。
【００４１】
この図８では、鋼管３の内周面に当接させる内周スペーサ７２１側からボルト７１１を挿入し、鋼管３のボルト孔３１並びに外周スペーサ７２２及び間隔調整スペーサ７２３，７２３のボルト孔を貫通させ、フランジ４１１のボルト孔４１３から下方に突出させたボルト７１１の先端に、座金７１３とナット７１２を装着する構成としている。なお、ボルト７１１を下から上に向けて挿入し、ナット７１２及び座金７１３を鋼管３の内部に配置する構成であってもよい。
【００４２】
また、図１及び図９に示すように、リング支保材４のアーチ部４１の内周面側には、円弧板状のプレキャストパネル５が取り付けられる。ここで、図９（ａ）は、プレキャストパネル５の周方向端面が示された図で、図９（ｂ）は、プレキャストパネル５の内周面をトンネル１の内部から見た図である。
【００４３】
このプレキャストパネル５は、アーチ部４１，４１の設置間隔と略同じ幅に成形されており、外周面側の両側縁には、フランジ４１１，４１１に係止させる係合金具５２，５２が設けられている。
【００４４】
さらにプレキャストパネル５の外周面側には、鉄筋などを取り付ける断面視コ字形の取付治具５１が設けられている。この取付治具５１には、トンネル１の周方向に向けて配筋する周方向鉄筋５３，・・・を取り付け、その周方向鉄筋５３，・・・に直交するようにトンネル１の軸方向に向けた軸方向鉄筋５４，・・・を配置する。
【００４５】
また、隣接するプレキャストパネル５，５間には、目地５０が生じるので、必要に応じてシール材などを充填する。
【００４６】
そして、このプレキャストパネル５の外周側には、図１に示すように覆工コンクリート６を充填する。この覆工コンクリート６は、掘削面とプレキャストパネル５との隙間に充填され、周方向鉄筋５３，・・・、軸方向鉄筋５４，・・・及びアーチ部４１を一体化して、鉄骨鉄筋コンクリート構造の覆工が形成される。
【００４７】
また、下床コンクリート６１も、タイド部４２が埋設されることから鉄骨コンクリート構造となる。さらに、鉄筋を配筋することで鉄骨鉄筋コンクリート構造にすることもできる。
【００４８】
次に、本実施の形態のトンネル１の構築方法について説明する。
【００４９】
まず、図４及び図１１に示すように、地盤２０に発進立坑２４Ａと到達立坑２４Ｂを設け、トンネル１に接続させる側の地盤２０を地盤改良して坑口改良部２５，２５を設けておく。
【００５０】
そして、発進立坑２４Ａの内部から図１１に示すように鋼管３を押し込む。この鋼管３の先端には掘進機３３が配置されており、掘進機３３によって地盤２０を切削させるとともに、鋼管３の後端を推進ジャッキなどによって押すことで推力を与えて、鋼管３を順次、地盤２０に押し込んでいく。
【００５１】
また、この鋼管３，・・・は、図２に示すようにトンネル１の上方アーチ部１１の外周に沿って、周方向に間隔を置いて押し込まれる。
【００５２】
続いて、図３に示すように、トンネル１の外周を囲繞するように断面視リング状の地盤改良部２を設ける。
【００５３】
この地盤改良部２の構築は、発進立坑２４Ａ及び到達立坑２４Ｂの両方又は一方の内部からおこなわれる。図４は、発進立坑２４Ａの内部から地盤改良部２を構築する工程を説明する図である。
【００５４】
地盤改良部２を構築するには、まず、先端に拡幅改良装置２２が接続された推進管２１を、発進立坑２４Ａの内部に設置された推進ジャッキ２３によって推力を与えることで地盤２０に押し込む。
【００５５】
この押し込みは、拡幅改良装置２２が所定の位置に到達するまで推進管２１を継ぎ足しながらおこなわれる。そして、所定の位置に到達した拡幅改良装置２２の先端から、セメント系固化材を吐出させ、掘削された土砂と一緒に撹拌させながら推進管２１を徐々に引き抜いていく。
【００５６】
このように推進管２１及び拡幅改良装置２２を引き抜いた後には、円筒形の地盤改良部２が形成される。また、推進管２１及び拡幅改良装置２２は、発進立坑２４Ａの内部に回収されて、引き続き別の位置の地盤改良に使用される。このように円筒形の地盤改良部２を構築する作業を繰り返すことによって、図５に示すようなトンネル１を囲繞するリング状の地盤改良部２が形成される。
【００５７】
このリング状の地盤改良部２が完成すると、その内周側の地盤２０は、地盤改良部２のアーチ効果で保護されることになる。そこで、発進立坑２４Ａに搬入されたバックホウなどの掘削機１２を使って、図５に示すように地盤改良部２の内周側の掘削をおこなう。
【００５８】
また、この掘削は、地盤改良部２によって保護された内周側の掘削となるため、小断面に分割して段階的におこなう必要がなく、トンネル１の全断面を一度に掘削することができるので掘削効率がよい。
【００５９】
続いて、図６に示すように、トンネル１の掘削底面にモルタルなどを打設して基礎部４３を構築する。そして、その基礎部４３の上にリング支保材４のタイド部４２を載置する。この際、リング支保材４のアーチ部４１は、鋼管３，・・・と略直交する向きに配置される。すなわち、リング支保材４は、トンネル１の横断面の内周に沿って配置される。
【００６０】
また、このアーチ部４１と鋼管３との間には、図７，８に示すようにスペーサ部７２を介在させて、ボルト７１１を使って鋼管３，・・・をアーチ部４１にピン接合させる。この接合作業は、ボルト７１１を締結することによって完了するため、迅速かつ確実に両者を接合させることができる。
【００６１】
さらに、アーチ部４１の内周面側には、図９に示すようにプレキャストパネル５を取り付ける。この取り付けは、プレキャストパネル５の両側縁の係合金具５２，５２をアーチ部４１のフランジ４１１，４１１に係止させるだけで容易におこなうことができる。
【００６２】
また、プレキャストパネル５を設置することで、同時に周方向鉄筋５３，・・・の配筋もおこなうことができる。他方、軸方向鉄筋５４，・・・は、複数のアーチ部４１，・・・のウェブ４１２，・・・を貫通させて配置する場合は、プレキャストパネル５を取り付ける前に配筋をおこなう。これに対して、アーチ部４１，４１間毎に軸方向鉄筋５４，・・・を配筋する場合は、周方向鉄筋５３，・・・に軸方向鉄筋５４，・・・を取り付けて、プレキャストパネル５と同時に配置することができる。
【００６３】
また、プレキャストパネル５の下方には、図１に示すように、コンクリートを打設して下床コンクリート６１を構築する。この際、必要に応じて配筋をおこなってからコンクリートを打設する。
【００６４】
さらに、プレキャストパネル５の外周側にもコンクリートを打設する。このコンクリートは、プレキャストパネル５と掘削面との隙間に流れ込んで、下方から頂部に向けて充填されていくことになる。
【００６５】
ここで、図１０に示すように、鋼管３のトンネル１内周側には、複数のエア抜き孔３２，・・・が設けられており、コンクリートが充填される空間の空気及びコンクリート内部の空気が、そのエア抜き孔３２，・・・を通して排出されることになる。このように余分な空気を排出できるので、空洞が発生することなく、密実にコンクリートが充填された覆工コンクリート６が構築される。
【００６６】
以上に説明したトンネル１内周側の掘削作業、リング支保材４の設置作業、プレキャストパネル５の取り付け作業、コンクリートの打設作業は、トンネル１の全長にわたって一度におこなわれるのではなく、単位長さで逐次おこなわれてその作業が繰り返される。
【００６７】
一方、鋼管３，・・・の押し込み及び地盤改良部２の構築は、トンネル１全長にわたって一度におこなうことができる。また、掘削作業に所定以上の距離を置いて先行するようにおこなうこともできる。
【００６８】
次に、本実施の形態のトンネル１の構築方法及びトンネル１の構造の作用について説明する。
【００６９】
このように構成された本実施の形態のトンネル１の構築方法では、トンネル１の上方アーチ部１１の外周の地盤２０に、周方向に間隔を置いて複数本の鋼管３，・・・を押し込むとともに、トンネル１の外周を囲繞するように地盤改良部２を形成し、その後に、地盤改良部２の内周側を掘削してトンネル１を構築する。
【００７０】
このため、掘削前から地盤改良部２によって閉成されたリングが形成されており、掘削当初からアーチ効果を発揮させることができるので、掘削による地盤２０の緩みを最小限にして変形を極力、抑えることができる。
【００７１】
また、上方アーチ部１１の外周に鋼管３を押し込んでおくことで、上方地盤が先受けされるので、剥離落下を確実に抑えることができる。
【００７２】
さらに、これらの鋼管３，・・・は、周方向に間隔を置いて押し込まれるので、鋼管３，３間が拘束されず、平面視の線形が曲線となるトンネル１であっても、容易に構築することができる。すなわち、図１１に示すように平面視Ｓ字形となるトンネル１であっても、地表まで開削することなく構築することができる。
【００７３】
また、掘削後に鋼管３，・・・間をリング支保材４で連結することで、短期間で確実な支保を設置することができる。すなわち、タイドアーチ形状のリング支保材４で鋼管３，・・・を連結することで、リング支保材４によるアーチ効果も付加された安定した掘削空間が形成される。さらに、リング支保材４と鋼管３との接合をボルト７１１の締結によっておこなうことで、迅速な接合作業とすることができる。
【００７４】
さらに、鋼管３，・・・を先に配置しておくことで、地盤改良の範囲を低減でき、工費の削減及び工期の短縮を実現することができる。
【００７５】
また、リング支保材４に鋼管３，・・・がピン接合されていれば、ピン接合部７，・・・に曲げ応力が発生しないので、鋼管３及びリング支保材４の断面を低減させて材料費を削減することができる。
【００７６】
さらに、コンクリートを充填することによって鋼管３，・・・及びリング支保材４を利用した覆工コンクリート６を構築することができ、支保材を仮設のみに使用する場合に比べて材料の有効活用ができ、コストを削減することが可能になる。
【００７７】
また、リング支保材４の内周面側にプレキャストパネル５を取り付け、それを型枠にしてコンクリートを充填する方法であれば、型枠を脱型する手間が不要となり、迅速かつ容易にトンネル１の覆工を構築することができる。
【００７８】
さらに、工場などの品質管理されたところで製作されたプレキャストパネル５を利用することで、品質の高い覆工を形成することができる。また、プレキャストパネル５であれば、高強度にするなど材質の調整も容易におこなうことができる。
【００７９】
また、周面に複数のエア抜き孔３２，・・・が穿孔された鋼管３を使用すれば、その周囲に打設されたコンクリートのエア抜きをそのエア抜き孔３２，・・・でおこなうことができ、空洞のない、高品質の覆工コンクリート６を構築することができる。
【００８０】
以上、図面を参照して、本発明の最良の実施の形態を詳述してきたが、具体的な構成は、この実施の形態に限らず、本発明の要旨を逸脱しない程度の設計的変更は、本発明に含まれる。
【００８１】
例えば、前記実施の形態では、長尺材として鋼管３を使用する場合について説明したが、これに限定されるものではなく、鋼棒などの芯材、合成樹脂管などを長尺材として利用することもできる。さらに、前記実施の形態では、断面が円形の鋼管３を使用する場合について説明したが、これに限定されるものではなく、断面が四角形や台形などの角型鋼管などであっても長尺材として使用できる。
【００８２】
また、前記実施の形態では、プレキャストパネル５をリング支保材４の内周面側に取り付ける場合について説明したが、これに限定されるものではなく、コンクリート打設後に撤去する型枠を使って覆工コンクリート６を構築してもよい。
【００８３】
さらに、前記実施の形態では、断面視馬蹄形のトンネル１を構築する場合について説明したが、これに限定されるものではなく、断面視円形や断面視楕円形のトンネルであってもよい。
【００８４】
また、前記実施の形態では、円形に近いリング状の地盤改良部２を形成したが、これに限定されるものではなく、上方がアーチ状で閉成された形状であれば、例えば馬蹄形のトンネル１外形に近い形状の地盤改良部であってもよい。
【図面の簡単な説明】
【００８５】
【図１】本発明の最良の実施の形態のトンネルの構造を中心線を境に異なる状態で説明する断面図である。
【図２】鋼管を押し込む工程を説明する説明図である。
【図３】環状の地盤改良部を形成する工程を説明する説明図である。
【図４】地盤改良をおこなう工程を説明する説明図である。
【図５】地盤を掘削する工程を説明する説明図である。
【図６】リング支保材を設置する工程を説明する説明図である。
【図７】鋼管とアーチ部とのピン接合部の構成を説明する断面図である。
【図８】鋼管とアーチ部とのピン接合部の構成を説明する分解図である。
【図９】プレキャストパネルの取り付け構造を説明する図であって、（ａ）はプレキャストパネルの端面を周方向で見た図、（ｂ）はトンネル内部からプレキャストパネルの内周面を見た図である。
【図１０】プレキャストパネルの外周側にコンクリートを充填する工程を説明する説明図である。
【図１１】線形がＳ字形となるトンネルを構築する工程を説明する平面図である。
【符号の説明】
【００８６】
１              トンネル
１１            上方アーチ部
２              地盤改良部
２０            地盤
３              鋼管（長尺材）
３２            エア抜き孔（孔）
４              リング支保材（支保材）
４１            アーチ部
４２            タイド部
５              プレキャストパネル
６              覆工コンクリート（コンクリート）
７              ピン接合部（ピン接合）
【図１】
2010090607.tif 000003
【図２】
2010090607.tif 000004
【図３】
2010090607.tif 000005
【図４】
2010090607.tif 000006
【図５】
2010090607.tif 000007
【図６】
2010090607.tif 000008
【図７】
2010090607.tif 000009
【図８】
2010090607.tif 000010
【図９】
2010090607.tif 000011
【図１０】
2010090607.tif 000012
【図１１】
2010090607.tif 000013